(57)【要約】      （修正有）【課題】偏りを生じる可能性を可及的に軽減する、腰部補強ベルト用環状体の提供。【解決手段】腰部補強ベルト１００の左右締め付けベルトの挿入のために開口部のある環状部と、左右締め付けベルトを開口部に挿入し、その左右締め付けベルトの固定部と、環状部と固定部とは一体構成の腰部補強ベルト用環状体とを有し、腰部補強ベルト用環状体と同一構成の他環状部と他固定部とを有する他の腰部補強ベルト用環状体とをさらに、腰回りに巻回して止着し、腰椎や骨盤を補強できるベルト本体１２０と、ベルト本体の中央に固定し、環状部に挿入され、固定部に固定された左締め付けベルトと、ベルト本体のほぼ中央に固定するとともに前記他の環状部に挿入され、前記他の固定部に固定された右締め付けベルトと、ベルト本体に固定し、環状部に移動自由に挿入され、他方はベルト本体と取り外し可能に構成された左作動ベルト１６０Ｌと、ベルト本体に固定し、他の環状部に移動自由に挿入、他方はベルト本体１２０と取り外し可能に構成。【選択図】図２
0003221720.tif 000002
【実用新案登録請求の範囲】
【請求項１】
腰椎や骨盤を引締める力を発揮することができる腰部補強ベルトであって、
前記腰部補強ベルトにおける左締め付けベルトまたは右締め付けベルトを挿入するために開口部を具備する環状部と、
前記左締め付けベルトまたは右締め付けベルトを前記開口部に挿入しつつその左締め付けベルトまたは右締め付けベルトを固定するための固定部と、
前記環状部と前記固定部とは一体に構成されている腰部補強ベルト用環状体と、を有し、
前記腰部補強ベルト用環状体と同一の構成である他の環状部と他の固定部とを有する他の腰部補強ベルト用環状体と、をさらに有し、
腰回りに巻回して止着し、腰椎または骨盤を補強することができるベルト本体と、
前記ベルト本体を引きつけるために、一方は、前記ベルト本体のほぼ中央に固定するとともに、前記環状部に挿入され、前記固定部に固定された左締め付けベルトと、
前記ベルト本体を引きつけるために、一方はベルト本体のほぼ中央に固定するとともに前記他の環状部に挿入され、前記他の固定部に固定された右締め付けベルトと、
前記左締め付けベルトを引きつけるために、一方はベルト本体に固定し、前記環状部に移動自由に挿入され、かつ他方はベルト本体と取り外し可能に構成された左作動ベルトと、
前記右締め付けベルトを引きつけるために、一方はベルト本体に固定し、前記他の環状部に移動自由に挿入され、かつ他方はベルト本体と取り外し可能に構成された右作動ベルトと、を有する腰部補強ベルト。
【請求項２】
前記固定部は、板状を呈し、前記環状部と前記固定部とは合成樹脂によって一体に構成されている請求項１記載の腰部補強ベルト。
【請求項３】
前記開口部は所定の幅を有し、前記固定部は、前記所定の幅と同様の幅を有し、
前記腰部補強ベルトにおける左締め付けベルトまたは右締め付けベルトと前記固定部は、その左締め付けベルトまたは右締め付けベルトと、縫い付けることで固定する請求項２記載の腰部補強ベルト。
【考案の詳細な説明】
【技術分野】
【０００１】
本考案は、容易に腰椎や骨盤を引締める力を発揮することができる腰部補強ベルトに関するものである。
【背景技術】
【０００２】
骨盤を引き締め、固定することによって腰への負担を軽減する骨盤補強ベルトが知られている。このようなものとして、特開２０１７―１７９６６３号公報が開示されている。この骨盤補強ベルトは、腰回りに巻回して止着し、骨盤を補強することができるベルト本体と、このベルト本体を引きつけるために、一方はベルト本体のほぼ中央に固定し、他方は第１環部を有する右腰締め付けベルトと、ベルト本体を引きつけるために、一方はベルト本体のほぼ中央に固定し、他方は第２環部を有する左腰締め付けベルトと、右腰締め付けベルトを引きつけるために、一方はベルト本体に固定し、他方はベルト本体の端部と取り外し可能に構成され、さらに、右腰締め付けベルトにおける第１環部内に挿通された右作動ベルトと、左腰締め付けベルトを引きつけるために、一方はベルト本体に固定し、他方はベルト本体の端部と取り外し可能に構成され、さらに、左腰締め付けベルトにおける第２環部内に挿通された左作動ベルトと、を具備するというものである。
【０００３】
上記骨盤補強ベルトは、環状を呈する第１環部および第２環部を有するともに、右作動ベルトと、左作動ベルトと、をそれぞれ引っ張ることにより、第１環部および第２環部がいわば滑車のように作用することで左腰締め付けベルトと、右腰締め付けベルトと、を引きつけることができ、それによって、女性や高齢者のように、引締め力を十分に発揮することができない者であっても、容易に腰を引締める力を発揮することができるものである。
【０００４】
また、上記考案を応用した、腰椎や骨盤を引き締め、固定することによって腰への負担を軽減する腰部補強ベルト２００が図５Ａに示されている。これは、使用者の腰椎や骨盤を押さえる面積を拡大するために、上記考案における左腰締め付けベルトと右腰締め付けベルトにそれぞれ相当する横向きにＶ字状を呈する左腰締め付けベルト２１０Ｌと横向きにＶ字状を呈する右腰締め付けベルト２１０Ｒとを有するものである。
【０００５】
しかしながら、腰部補強ベルト２００は、容易に腰周りを引締める力を発揮することができるものであることから、図５Ｂに示すように、横向きにＶ字状を呈する左締め付けベルト２１０Ｌと横向きにＶ字状を呈する右締め付けベルト２１０Ｒに引締め力がかかり、それぞれ、第１環部２２０Ｌおよび第２環部２２０Ｒに対しそれぞれ、横向きにＶ字状を呈する帯状の左締め付けベルト２１０Ｌと横向きにＶ字状を呈する帯状の右締め付けベルト２１０Ｒが、第１環部２２０Ｌおよび第２環部２２０Ｒの開口部に対してその一箇所に偏りを生じると、その第１環部２２０Ｌおよび第２環部２２０Ｒが傾き、さらに左作動ベルト２３０Ｌおよび右作動ベルト２３０Ｒが、その第１環部２２０Ｌおよび第２環部２２０Ｌの開口部に対しさらに偏りを生じてしまう。この状態で使用者が、左作動ベルト２３０Ｌおよび右作動ベルト２３０Ｒを引き付けたとしても、容易に腰を引締める力を充分に発揮することができない。特に第１環部２２０Ｌおよび第２環部２２０Ｒの開口部の形状が長方形状を呈するので左作動ベルト２３０Ｌおよび右作動ベルト２３０Ｒが偏ってしまう問題が生じ易い。
【０００６】
このような状況において考案者は、研究の結果、第１環部２２０Ｌおよび第２環部２２０Ｒの開口部の形状が長方形状を呈する場合であっても、第１環部２２０Ｌおよび第２環部２２０Ｒに対しそれぞれ横向きにＶ字状を呈する左締め付けベルト２１０Ｌと横向きにＶ字状を呈する右締め付けベルト２１０Ｒが偏りを生じさせないようにすれば、第１環部２２０Ｌおよび第２環部２２０Ｒが傾くことがなく、結果として、左作動ベルト２３０Ｌおよび右作動ベルト２３０Ｒが、その第１環部２２０Ｌおよび第２環部２２０Ｒに対し偏りを生じる可能性を可及的に軽減することを見出したのである。
【先行技術文献】
【特許文献】
【０００７】
【特許文献１】特開２０１７―１７９６６３号公報
【考案の概要】
【考案が解決しようとする課題】
【０００８】
そこで、本考案は前記の点に着目してなされたもので、その課題は、使用者が、左腰締め付けベルトと右腰締め付けベルトを引っ張ることで、上記腰部補強ベルトに対し、引締め力を発揮した場合においても、偏りを生じる可能性を可及的に軽減する、第１環部または第２環部に相当する腰部補強ベルト用環状体を有する腰部補強ベルトを提供することである。
【課題を解決するための手段】
【０００９】
前記の課題を解決するために、第１観点の腰部補強ベルトは、腰椎や骨盤を引締める力を発揮することができる腰部補強ベルトであって、腰部補強ベルトにおける左締め付けベルトまたは右締め付けベルトを挿入するために開口部を具備する環状部と、左締め付けベルトまたは右締め付けベルトを前記開口部に挿入しつつその左締め付けベルトまたは右締め付けベルトを固定するための固定部と、を有し、環状部と固定部とは一体に構成されている腰部補強ベルト用環状体と、腰部補強ベルト用環状体と同一の構成である他の環状部と他の固定部とを有する他の腰部補強ベルト用環状体と、腰回りに巻回して止着し、腰椎または骨盤を補強することができるベルト本体と、ベルト本体を引きつけるために、一方は、ベルト本体のほぼ中央に固定するとともに、環状部に挿入するとともに、固定部に固定された左締め付けベルトと、ベルト本体を引きつけるために、一方はベルト本体のほぼ中央に固定するとともに他の環状部に挿入するとともに、他の固定部に固定された右締め付けベルトと、左締め付けベルトを引きつけるために、一方はベルト本体に固定し、環状部に移動自由に挿入され、かつ他方はベルト本体と取り外し可能に構成された左作動ベルトと、右締め付けベルトを引きつけるために、一方はベルト本体に固定し、他の環状部に移動自由に挿入され、かつ他方はベルト本体と取り外し可能に構成された右作動ベルトと、を有する腰部補強ベルトである。
【００１０】
第２観点の腰部補強ベルトは、第１観点において、固定部は、板状を呈し、環状部と固定部とは合成樹脂によって一体に構成されているというものである。
【００１１】
第３観点の腰部補強ベルトは、第２観点において、開口部は所定の幅を有し、固定部は、所定の幅と同様の幅を有し、腰部補強ベルトにおける左締め付けベルトまたは右締め付けベルトと固定部は、その左締め付けベルトまたは右締め付けベルトと、縫い付けることで固定するというものである。
【考案の効果】
【００１２】
本考案は以上のように構成され、かつ、作用するものであるから、使用者が、左腰締め付けベルトと右腰締め付けベルトを引っ張ることで、上記腰部補強ベルトに対し、引締め力が発揮した場合においても、偏りを生じる可能性を可及的に軽減する、第１環部または第２環部に相当する腰部補強ベルト用環状体を有する腰部補強ベルトを提供することができる。
【図面の簡単な説明】
【００１３】
【図１】Ａは、腰部補強ベルト用環状体の斜視図である。Ａは、腰部補強ベルト用環状体の正面図である。Ｃは、腰部補強ベルト用環状体の側面図である。
【図２】腰部補強ベルトに腰部補強ベルト用環状体を取り付けた状態の正面図である。
【図３】腰部補強ベルトに腰部補強ベルト用環状体を取り付けた状態の使用する状態図である
【図４】Ａは、図３ＩＶ拡大図である。ＢはＡの、ＩＶＢ−ＩＶＢ線断面図である。
【図５】Ａは第１環部および第２環部を有する腰部補強ベルトの正面図である。Ｂは、横向きにＶ字状を呈する左締め付けベルトおよび横向きにＶ字状を呈する右締め付けベルトが偏ることによって第１環部および第２環部が傾いた状態の状態図である。
【考案を実施するための最良の形態】
【００１４】
以下、図示の実施形態を参照して本実施例について説明する。本実施例の腰部補強ベルト１００は、腰椎や骨盤を引締める力を発揮することができるというものである。また、腰部補強ベルト１００は、腰部補強ベルト用環状体１０を有するものであり、腰部補強ベルト用環状体１０は、腰部補強ベルト１００における左締め付けベルト１４１Ｌまたは右締め付けベルト１４１Ｒを挿入するために開口部２５を具備する環状部２０と、左締め付けベルト１４１Ｌまたは右締め付けベルト１４１Ｒをその開口部２５に挿入しつつその左締め付けベルト１４１Ｌまたは右締め付けベルト１４１Ｒを固定するための固定部３０と、を有し、腰部補強ベルト用環状体１０における環状部２０と固定部３０とは合成樹脂で一体に構成されているというものである。尚、固定部３０は、後述するように左締め付けベルト１４１Ｌおよび右締め付けベルト１４１Ｒと縫製部５０において縫い付けることができる。また、腰部補強ベルト用環状体１０は、合成樹脂が好ましく、さらに合成樹脂としてはナイロン樹脂が好ましい。これは、耐摩耗性、耐寒冷性、耐衝撃性が良好であり、また、固定部３０においては、縫製によっても割れにくいものである。
【００１５】
環状部２０は、上端部２１および下端部２２、左端部２３、右端部２４に囲まれた所定の幅を有する正面視横長の口の字状の開口部２５を有するものである。従って所定の幅とは、その開口部２５に左締め付けベルト１４１Ｌまたは右締め付けベルト１４１Ｒを挿入するために充分な幅を有するということである。
【００１６】
また、横長という意義は、上端部２１と下端部２２との間の寸法に対して右端部２３と左端部２４との間の寸法が充分に大きいことをいう。例えば、本実施例において開口部２５内における横方向（右端部２３と左端部２４との間）の寸法は、５０ミリメートルの場合において、縦方向（上端部２１と下端部２２との間）の寸法は、７ミリメートルまたはそれ以下である。このように、開口部２５の横とたての比率はおおむね７対１以下の関係が好ましい。もっとも後述するように開口部２５には、左締め付けベルト１４１Ｌと左作動ベルト１６０Ｌまたは右締め付けベルト１４１Ｒと右作動ベルト１６０Ｒの挿入するために、それらの厚みに対し充分な縦方向の寸法が必要なことはいうまでもない。
【００１７】
固定部３０は、上辺３１と下辺３２と左側辺３３と右側辺３４とを有する平板状を呈し、上辺３１に対し下辺３２の長さがほぼ同様の長方形状を呈するものである。上辺３１は、環状部２０と一体に接続され、下辺３２は、上記のとおり上辺３１とほぼ同様の長さであるのに対し、左側辺３３と右側辺３４とは曲線部分を経て、それぞれ、上辺３１と下辺３２に接続されている。なお、上辺３１は開口部とほぼ同様の幅であることが好ましく、例えば上辺３１および、下辺３２は、５０ミリメートルが好ましい。また、上辺３１と下辺３２との幅は、１２ミリメートルから１５ミリメートルが好ましいが、このうち１４ミリメートルが好ましい。このように環状部２０と固定部３０とは合成樹脂によって一体に構成されていることが好ましい。
【００１８】
また側面視において、環状部２０は、固定部３０に対し、１８０度の角度で、下方に接続されている。このように環状部２０と固定部３０は、水平に接続することで、それらの左作動ベルト１６０Ｌおよび右作動ベルト１６０Ｒの引き締めがスムーズとなる。
【００１９】
腰部補強ベルト用環状体１０を取り付けた本実施例の腰部補強ベルト１００について説明する。腰部補強ベルト１００は、腰椎や骨盤を締め付けるためのベルト本体１２０と、腰椎や骨盤を締め付けることができる左締め付けベルト１４１Ｌおよび右締め付けベルト１４１Ｒと、を有している。また。腰部補強ベルト用環状体１０は、左締め付けベルト１４１Ｌに取り付けられている。また、他の腰部補強ベルト用環状体１０′は、右締め付けベルト１４１Ｒにそれぞれ取り付けられている。特に、開口部２５は上記のとおり所定の幅を有し、固定部３０は、その所定幅と同様の幅を有することで、腰部補強ベルト１００における左締め付けベルト１４１Ｌまたは右締め付けベルト１４１Ｒとその幅の全域に渡って縫い付けることで固定することができる。なお、腰部補強ベルト用環状体１０と他の腰部補強ベルト用環状体１０′とは、同一の構成である。従って、他の腰部補強ベルト用環状体１０′についての説明は省略する。
【００２０】
ベルト本体１２０の中央部はメッシュ部１２１を有し、その両脇に伸縮帯１２３Ｌ、１２３Ｒを有し、前記伸縮帯１２３Ｌの左端部に雌側左止着部１２４Ｌを有している。また、前記伸縮帯１２３Ｒの右端部に雌側右止着部１２４Ｒを有している。ベルト本体１２０は、使用者の腰回りに巻きつけるために長手方向Ｈに十分な長さを有し、メッシュ部１２１の中央部は、縦枠１３０が配置されている。またメッシュ部１２１の中央部は、短手方向Ｖに幅広な構成である。
【００２１】
メッシュ部１２１は、縦枠１３０の両側であって縦枠１３２Ｌと縦枠１３２Ｒの間に配置されている。また、メッシュ部１２１は、メッシュ構造を有する高強度の布材を張ることによって通気性を確保している。
【００２２】
また縦枠１３２Ｌと縦枠１３３Ｌの間に配置されている伸縮部１２３Ｌと、縦枠１３２Ｒと縦枠１３３Ｒの間に配置されている伸縮部１２３Ｒは、強力な弾力性を有する伸縮可能部分であり、伸縮部１２３Ｌおよび伸縮部１２３Ｒは弾力性に基づく緊締力で腹部および腰部を固定するために、ベルト本体長手方向Ｈに伸縮可能な弾力性布材を張設して形成されており、布材の弾力性による緊締力は、後述する雌側左止着部１２４Ｌの任意の位置に後述する雄側止着部１２５を介し、伸縮部１２３Ｌおよび伸縮部１２３Ｒは弾力性による緊締力は、腹部および腰回りに伝えられる。
【００２３】
上記縦枠１３３Ｌの左側に雌側左止着部１２４Ｌが配置され、縦枠１３３Ｒの右側に雌側右止着部１２４Ｒが配置されている。それらは、ともに雌側面ファスナーで構成されており、長手方向Ｈに一定の長さを有している。また、雌側右止着部１２４Ｒの裏側の端部には、雄側止着部１２５を有している。これは雄側面ファスナーで構成され、前記雌側左止着部１２４Ｌにおける、雌側面ファスナーに着脱可能に止着することができる。この場合、使用者の胴回りのサイズに応じて前記雌側左止着部１２４Ｌの任意の位置に前記雄側止着部１２５を止着することができることはいうまでもない。
【００２４】
また、左締め付けベルト１４１Ｌに腰部補強ベルト用環状体１０が取り付けられている。また、前記右締め付けベルト４１Ｒに腰部補強ベルト用環状体１０が取り付けられている。また、左締め付けベルト１４１Ｌおよび右締め付けベルト１４１Ｒは、それぞれ、柔軟性および伸縮性を有するものである。
【００２５】
具体的には、前記左締め付けベルト１４１Ｌの一端は、腰部補強ベルト１００の中央に配置された縦枠１３０における位置１３０Ａにおいて縫い付けられて固定される。また、左締め付けベルト１４１Ｌのほぼ中央付近において、左締め付けベルト１４１Ｌは、腰部補強ベルト用環状体１０における環状部２０に挿入されるとともに、その左締め付けベルト１４１Ｌは、その環状部２０において、折り返すように配置される。すなわち、折り返された左締め付けベルト１４１Ｌによって、固定部３０を上下に挟むように配置される。すなわち断面視において、上から左締め付けベルト１４１Ｌ、固定部３０、左締め付けベルト１４１Ｌ、の順で配置されるとともに、それらを縫い付けることで、左締め付けベルト１４１Ｌに腰部補強ベルト用環状体１０を取り付けることができる（図４Ａ，Ｂ縫製部５０参照）。
【００２６】
また、左締め付けベルト１４１Ｌの他端は、上記縦枠１３０における位置１３０Ｂにおいて縫い付けられて固定される。このように、左締め付けベルト１４１Ｌは、位置１３０Ａと、位置１３０Ｂとは重なることなく短手方向Ｖにずらして固定されている。このように、左締め付けベルト１４１Ｌは、横向きにＶ字状を呈するように配置されている。
【００２７】
また同様に、右締め付けベルト１４１Ｒの一端は、上記縦枠３０における位置３０Ａにおいて縫い付けられて固定される。また、その右締め付けベルト１４１Ｒは、他の腰部補強ベルト用環状体１０′における環状部２０′に挿入するように通されつつ、前記右締め付けベルト１４１Ｒの他端は、上記縦枠１３０における位置１３０Ｂにおいて縫い付けられて固定される。このように、右締め付けベルト１４１Ｒは、位置１３０Ａと、位置１３０Ｂとは重なることなく短手方向ＶにＶ１だけずらして固定されている。このように、右締め付けベルト１４１Ｒは、横向きにＶ字状を呈するように配置されている。
【００２８】
また、右締め付けベルト１４１Ｒのほぼ中央付近において、その右締め付けベルト１４１Ｒは、他の腰部補強ベルト用環状体１０′における環状部２０′に挿入されるとともに、その右締め付けベルト１４１Ｒは、その環状部２０′において、折り返すように配置される。すなわち、折り返された右締め付けベルト１４１Ｒによって、固定部３０′を上下に挟むように配置される。なお、右締め付けベルト１４１Ｒと固定部３０′の位置に土江は上記と同様であるので省略する。
【００２９】
また、左作動ベルト１６０Ｌの他端は、縦枠１３３Ｌに接続されている。また、右作動ベルト１６０Ｒの他端は縦枠１３３Ｒに接続されている。また、左作動ベルト１６０Ｌの一端の裏面には、雄側面ファスナーからなる止着部１６５Ｌを配置している。同様に、右作動ベルト１６０Ｒの一端の裏面には、雄側面ファスナーからなる止着部１６５Ｒを配置している。なお、左作動ベルト１６０Ｌと右作動ベルト１６０Ｒは伸縮性を有しなくてもよい。
【００３０】
左作動ベルト１６０Ｌは、腰部補強ベルト用環状体１０における環状部２０に移動自由に挿入される。また、右作動ベルト１６０Ｒは、他の腰部補強ベルト用環状体１０′における環状部２０′に移動自由に挿入される。また、左作動ベルト１６０Ｌにおける止着部１６５Ｌは、ベルト本体１２０における伸縮帯１２３Ｌの左端部に配置した雌側左止着部１２４Ｌに取り外し可能に取り付けることができる。同様に、右作動ベルト１６０Ｒにおける止着部１６５Ｒは、ベルト本体１２０における伸縮帯１２３Ｒの右端部に配置した雌側右止着部１２４Ｒに取り外し可能に取り付けることができる。
【００３１】
腰部補強ベルト用環状体１０、１０′が取り付けられている上記構成の本実施例の腰部補強ベルト１００において、左作動ベルト１６０Ｌおよび右作動ベルト１６０Ｒを、使用者Ｐが引けば、腰部補強ベルト用環状体１０および他の腰部補強ベルト用環状体１０′がいわば滑車のような役割を有するために、左締め付けベルト１４１Ｌおよび右締め付けベルト１４１Ｒをひきつけることで、腰部補強ベルト１００は、使用者Ｐの腰回りを締めつけることができる。このとき、左締め付けベルト１４１Ｌおよび右締め付けベルト１４１Ｒは上記のとおり、腰部補強ベルト用環状体１０、１０′の固定部３０、３０′に縫い付けるように固定されている。
【００３２】
また、左締め付けベルト１４１Ｌおよび右締め付けベルト１４１Ｒは、それぞれ、柔軟性および伸縮性を有するものである場合であっても腰部補強ベルト用環状体１０、１０′における開口部２５、２５′に対して偏る恐れは少ない。すなわち、左締め付けベルト１４１Ｌの幅の全域にわたって、固定部３０に縫い付けるように固定されているので、左締め付けベルト１４１Ｌは、環状部２０に対して、偏る恐れは少ないのである。また、同様に、右締め付けベルト１４１Ｒの幅の全域にわたって、固定部３０′に縫い付けるように固定されているので、右締め付けベルト１４１Ｒは、環状部２０′に対して、偏る恐れは少ないのである。
【００３３】
さらに、左締め付けベルト１４１Ｌは、環状部２０に対して、偏る恐れは少なくなることで、左作動ベルト１６０Ｌが、環状部２０に対して、偏る恐れが可及的に軽減される。また、右締め付けベルト１４１Ｒは、環状部２０′に対して、偏る恐れは少なくなることで、右作動ベルト１６０Ｒが、環状部２０に対して、偏る恐れが可及的に軽減される。これにより、使用者が、左作動ベルト２３０Ｌおよび右作動ベルト２３０Ｒを引き付けると、容易に腰部を引締める力を発揮することができる。
【符号の説明】
【００３４】
１０  腰部補強ベルト用環状体
１０′他の腰部補強ベルト用環状体
２０  環状部
２５  開口部
３０  固定部
１００  腰部補強ベルト
１２０  ベルト本体
１２４Ｌ  雌側左止着部
１２４Ｒ  雌側右止着部
１４１Ｌ  左締め付けベルト
１４１Ｒ  右締め付けベルト
１６０Ｌ  左作動ベルト
１６０Ｒ  右作動ベルト
【図１】
0003221720.tif 000003
【図２】
0003221720.tif 000004
【図３】
0003221720.tif 000005
【図４】
0003221720.tif 000006
【図５】
0003221720.tif 000007